(57)【要約】【課題】  所定の位置にしっかりと取付けることができるとともに、簡単に且つ安価に設置することが可能な路面用ポール装置を提供できるようにする。【解決手段】  磁気吸着力発生装置１１を底部に有するポール本体２と、上記ポール本体２の底部に取付けられた磁気吸着力発生装置１１と磁気吸着し、上記ポール本体２を磁気吸着力により路面６０上に固定するためのポール支持体５０とにより路面用ポール装置１を構成することにより、上記ポール本体２を上記ポール支持体５０に対して自由に着脱することができるようにして、設置路面６０に対して着脱することが可能な路面用ポール装置１を簡単な構成で実現できるようにする。【選択図】  図１
2005207142.tif 000002
【特許請求の範囲】
【請求項１】
磁気吸着力発生装置を底部に有するポール本体と、上記ポール本体の底部に取付けられた磁気吸着力発生装置と磁気吸着し、上記ポール本体を磁気吸着力により路面上に固定するためのポール支持体とからなり、
上記磁気吸着力発生装置は、開口側が上記ポール支持体に吸着するカップ状ヨークと、上記カップ状ヨーク内に一方の磁極が固定された永久磁石とにより構成されていることを特徴とする路面用ポール装置。
【請求項２】
上記永久磁石は希土類磁石であることを特徴とする請求項１に記載の路面用ポール装置。
【請求項３】
上記ポール本体は円柱状または円錐状に形成されていることを特徴とする請求項１または２に記載の路面用ポール装置。
【発明の詳細な説明】
【技術分野】
【０００１】
本発明は路面用ポール装置に関し、特に、駐車場の出入り口に設置して車両が無断に進入するのを防止するために用いて好適な路面用ポール装置に関するものである。
【背景技術】
【０００２】
一般に、駐車場の入り口にはフェンスや路面用ポール装置等を配置して、正当な自動車以外の自動車が無断で駐車するのを防止するようにしている。上記路面用ポール装置を配置する場合、簡易な装置においては、図９の正面図、及びその断面図である図１０に示すように、大きめの支持板を底部に形成した合成樹脂製の路面用ポール装置５００が知られている。
【０００３】
しかしながら、上記図９及び図１０に示した路面用ポール装置５００の場合には、軽量であることにより、少しの外力で動いてしまったり、或いは倒れてしまったりしてしまう問題があった。上述のように、少しの外力で動いてしまったり、或いは倒れてしまったりしてしまうのを防止するためには、上記路面用ポール装置５００を重くすればよいが、あまり重くすると移動が大変であり、実用的ではなくなってしまう。
【０００４】
このような問題を解消するために、例えば、特許文献１に示すように、ポール装置を配置する位置に支持孔を形成しておき、上記支持孔によってポールを路面上に支持するようにした提案が行われていた。
【０００５】
【特許文献１】特開２０００−１７９１７７号公報
【発明の開示】
【発明が解決しようとする課題】
【０００６】
上記特許文献１に記載のポール装置によれば、少しの外力で移動したり、或いは倒れたりする不都合のないポール装置を提供することができる。しかしながら、上記ポール装置の場合にはポールの支持孔を路面に形成しなければならないので、ポールを設置するのに必要な工事が大掛かりになり、専門の工事業者でなければ設置することが困難である結果、路面用ポール装置を設置するために多大な費用が必要になってしまう問題があった。
【０００７】
本発明は上述の問題点にかんがみ、所定の位置にしっかりと取付けて使用することができるとともに、簡単に且つ安価に設置することができる路面用ポール装置を提供できるようにすることを目的とする。
【課題を解決するための手段】
【０００８】
本発明の路面用ポール装置は、磁気吸着力発生装置を底部に有するポール本体と、上記ポール本体の底部に取付けられた磁気吸着力発生装置と磁気吸着し、上記ポール本体を磁気吸着力により路面上に固定するためのポール支持体とからなり、上記磁気吸着力発生装置は、開口側が上記ポール支持体に吸着するカップ状ヨークと、上記カップ状ヨーク内に一方の磁極が固定された永久磁石とにより構成されていることを特徴としている。
また、本発明の他の特徴とするところは、上記永久磁石は希土類磁石であることを特徴としている。
また、本発明のその他の特徴とするところは、上記ポール本体は円柱状または円錐状に形成されていることを特徴としている。
【発明の効果】
【０００９】
本発明によれば、磁気吸着力発生装置を底部に有するポール本体と、上記ポール本体の底部に取付けられた磁気吸着力発生装置と磁気吸着し、上記ポール本体を磁気吸着力により路面上に固定するためのポール支持体とにより路面用ポール装置を構成したので、必要に応じてポール本体を取付けたり、取外したりすることが可能な路面用ポール装置を、簡単な工事を行うだけで設置することができる。
また、本発明のその他の特徴によれば、上記磁気吸着力発生装置を、開口側が上記ポール支持体に吸着するカップ状ヨークと、上記カップ状ヨーク内に一方の磁極が固定された永久磁石とにより構成したので、強力な磁気吸着力を得ることができて、ポール本体が不測に倒れたり、或いは少しの外力で移動したりすることのない路面用ポール装置を提供することができる。
【発明を実施するための最良の形態】
【００１０】
（第１の実施の形態）
次に、図１及び図２を参照しながら本発明の路面用ポール装置の第１の実施の形態を説明する。
図１は、本実施の形態の路面用ポール装置１の全体構成を示す斜視図であり、図２は要部構成を示す断面図である。
【００１１】
図１及び図２に示すように、本実施の形態の路面用ポール装置１は、ポール本体２と、磁気吸着力発生装置１１と、ポール支持体５０とにより構成されている。
上記磁気吸着力発生装置１１は、上記ポール本体２の底部に磁気吸着力発生装置１１が取付けられている。
【００１２】
上記磁気吸着力発生装置１１は、カップ状ヨーク３２及び永久磁石３３等によって構成されている。上記永久磁石３３は希土類により構成され、上記カップ状ヨーク３２の端面より突出しないようにして、その内部に収納されている。
【００１３】
これにより、上記磁気吸着力発生装置１１の吸着面となるカップ状ヨーク３２の端面に上記永久磁石３３の磁束を集中させることができ、強力な磁気吸着力を得ることができる。また、本実施の形態においては、上記永久磁石３３の外周面と上記カップ状ヨーク３２の内周面との間に間隙を設けて、カップ状ヨーク３２からの漏れ磁束を抑制するようにしている。
【００１４】
上記ポール本体２は、適度な柔軟性及び剛性を有する合成樹脂により構成され、その周面には蛍光性を有する反射テープ２１が巻き付けられている。これにより、夜間でも上記ポール本体２の存在が目立つようにして、路面用ポール装置１を駐車場の出入り口等に設置した場合に、自動車が夜間に衝突するのを防止することができる。
【００１５】
本実施の形態においては、上記磁気吸着力発生装置１１を上記ポール本体２に取付けるために、以下のように構成している。即ち、上記ポール本体２の底部に磁石取付け面３を形成し、上記磁石取付け面３の中央部に嵌合凹部４を形成し、上記嵌合凹部４に固定用ナット５を嵌合保持するようにしている。
【００１６】
一方、上記カップ状ヨーク３２及び永久磁石３３の中央部には貫通孔を形成し、上記貫通孔を通して固定ネジ６の先端部を上記カップ状ヨーク３２の外方に進出させ、上記固定ネジ６の先端部を上記固定用ナット５に螺合させることにより、上記磁気吸着力発生装置１１を上記路面用ポール装置１の底部にしっかりと取付けて固定するようにしている。上述のようにして、ポール本体２の底部に磁気吸着力発生装置１１を固着することにより、上記ポール本体２の底部に強力な磁気吸着力を備えることができるようにしている。
【００１７】
図２に示したように、設置路面６０上の所望の位置に上記ポール支持体５０を配設しておくことにより、上記ポール支持体５０に対して上記ポール本体２を磁気吸着させて、上記ポール本体２を所望の位置に配設することができる。本実施の形態においては、上記ポール支持体５０をＳＵＳ４３０素材により構成するとともに、複数の貫通孔５１を形成している。上記貫通孔５１は、接着剤５２を用いて上記ポール支持体５０を設置路面６０に固定した場合に上記接着剤５２が入り込んで、上記ポール支持体５０を上記設置路面６０上にしっかりと固定するためのものである。
【００１８】
上述のようにして、上記ポール支持体５０を設置路面６０上に固定しておくことにより、上記ポール本体２を所望の位置に設置したり、或いは取り除いたりすることを自由に行うことができるようにしている。
【００１９】
さらに、本実施の形態においては、カップ状ヨーク３２及び永久磁石３３により上記磁気吸着力発生装置１１を構成しているので、上記永久磁石３３が有する磁気吸着力を上記カップ状ヨーク３２の端面に集中させて強力な磁気吸着力を得ることができるようにしている。これにより、上記ポール本体２を上記ポール支持体５０に対して強力に磁気吸着させることが可能となり、上記ポール本体２が不測に倒れたり、或いは少しの外力が加えられただけで移動したりすることのない路面用ポール装置を提供することができる。
【００２０】
しかも、本実施の形態の路面用ポール装置１においては、着脱自在なポール本体２を設置路面６０に対して着脱自在に構成するために必要な工事は、接着剤５２を用いて、上記ポール支持体５０を上記設置路面６０に固定する工事のみである。したがって、設置工事を容易に行うことができ、専門の工事業者に依頼しなくても済ますことができる。
【００２１】
（第２の実施の形態）
次に、本発明の路面用ポール装置の第２の実施の形態を説明する。
図３は、第２の実施の形態を示し、路面用ポール装置１の全体構成を示す斜視図である。図３に示すように、本実施の形態の路面用ポール装置１は、ポール本体２０と、上記ポール本体２０の下端部に取付けられていて、上記ポール本体２０を支持するポール支持盤１００とを有している。
【００２２】
上記ポール本体２０は、上述した第１の実施の形態のポール本体２と同様に、適度な柔軟性及び剛性を有する合成樹脂により構成され、その周面には蛍光性を有する反射テープ２１が巻き付けられていて、夜間でも目立つようになされている。
【００２３】
また、上記ポール支持盤１００は、伏せた皿の形態をもつソリッドな形態をもつ硬質ウレタン樹脂などからなるもので、ポール本体２０の下端に対して嵌合して一体的に構成され、上記ポール本体２０を路面に対して安定的に固定支持する作用を有している。
【００２４】
図４の底面図に示すように、本実施の形態の路面用ポール装置１においては、上記ポール支持盤１００に対して磁気吸着力発生装置３０が取付けられている。上記磁気吸着力発生装置３０は、本実施の形態においてはヨーク取付け板３１、カップ状ヨーク３２、永久磁石３３等によって構成されている。
【００２５】
そして、上記カップ状ヨーク３２及び永久磁石３３を、本実施の形態においては、固定ネジ３４により上記ヨーク取付け板３１に固定している。固定の詳細は図６及び図７を参照しながら後述する。
【００２６】
上述のようにして、カップ状ヨーク３２及び永久磁石３３が取付けられたヨーク取付け板３１は、３本の取付けネジ３５により、上記ポール支持盤１００に取付けられている。このような構成により、本実施の形態のポール本体２０は、その底部に強力な磁気吸着力を備えることができる。
【００２７】
これにより、図５に示すように、上記磁気吸着力発生装置３０は上記ポール支持体５０に対して強力に磁気吸着することが可能となる。上記ポール支持体５０は、上述したようにＳＵＳ４３０素材により構成されており、中央部及び４つの角部近傍に貫通孔５１が形成されている。これらの貫通孔５１には、上記ポール支持体５０を路面に固定するための接着剤５２（図７参照）入り込み、上記ポール支持体５０を上記設置路面６０上にしっかりと固定するために用いられる。
【００２８】
図６に、路面用ポール装置１の底部にポール支持体５０を取付けた状態の断面図を示す。図６に示したように、上記ポール支持体５０はカップ状ヨーク３２の端面から集中的に発生する強力な磁気吸着力によって路面用ポール装置１の底部に強力に磁気吸着される。これにより、上記ポール支持体５０を路面に固定しておくことにより、上記ポール本体２０を路面の所望の位置に設置したり、或いは取り除いたりすることを自由に行うことができるようになる。
【００２９】
図７に、本実施の形態の磁気吸着力発生装置３０の要部、及び上記磁気吸着力発生装置３０を磁気吸着力によって路面に設置している状態を示す。
図７に示したように、本実施の形態の場合においても、接着剤５２を用いて上記ポール支持体５０を設置路面６０に固定するようにしている。上記ポール本体２０を所望の場所に設置するために必要な工事は、上記接着剤５２を用いて上記ポール支持体５０を上記設置路面６０に固定するのみであるので、第１の実施の形態の場合と同様に、着脱自在なポール本体２０を設置路面６０上に構成する工事を、簡単に且つ安価に行うことができる。
【００３０】
上述のようにして、ポール支持体５０を設置路面６０上に設置しておくことにより、必要に応じて上記ポール本体２０を上記ポール支持体５０に磁気吸着させるだけで、ポール本体２０の取付け及び取外しを、自由に且つ簡単に行うことができる。
【００３１】
しかも、本実施の形態の路面用ポール装置１の場合においても、上記ポール本体２０の底部に配設する磁気吸着力発生装置３０として、カップ状ヨーク３２及び永久磁石３３を用いているので、強力な磁気吸着力を得ることができる。
【００３２】
なお、上記第１及び第２の実施の形態においては、ポール本体２、２０を円柱状に形成した例を示したが、上記ポール本体２、２０は他の形状、例えば、図９に示したような円錐状に形成してよい。
【００３３】
また、本実施の形態においては、上記ポール本体２０の下部に円形のポール支持盤１００を配設したので、上記磁気吸着力発生装置３０が上記ポール支持体５０から離れてしまった場合でも、上記ポール本体２０の先端部を回転中心として上記ポール支持盤１００が回転するのみであり、路面用ポール装置１の全体が遠くに転がって行ってしまう不都合を防止することができる。
【００３４】
（第３の実施の形態）
次に、本発明の路面用ポール装置の第３の実施の形態を説明する。
図８は、本発明の第３の実施の形態を示し、磁気吸着力発生装置３０の要部構成を示す断面図である。
【００３５】
図８に示したように、本実施の形態の磁気吸着力発生装置３０は、その壁面を長く形成することにより、カップ状ヨーク３２の内部空間を大きく形成している。また、上記永久磁石３３の面上に掛止部３６を形成するとともに、ポール支持体５０の面上に掛止部５３を形成し、上記掛止部３６と掛止部５３との間を、紐状体４０を介して接続するようにした例を示している。上記紐状体４０としては、鎖またはロープ等を用いることができる。また、上記紐状体４０の先端に着脱自在なフックを取付けることにより、取付け及び取外しが容易である。
【００３６】
本実施の形態磁気吸着力発生装置３０は、上述のようにカップ状ヨーク３２に固着されている永久磁石３３と、ポール支持体５０とを紐状体４０によって接続可能としたので、上記カップ状ヨーク３２と上記ポール支持体５０との磁気吸着が外れてしまった場合においても、ポール本体２、２０が遠くに転がってしまう不都合を確実に防止することができる。
【図面の簡単な説明】
【００３７】
【図１】第１の実施の形態を示し、路面用ポール装置の概観構成を示す斜視図である。
【図２】第１の実施の形態を示し、磁気吸着力発生装置の要部を示す断面図である。
【図３】第２の実施の形態を示し、路面用ポール装置の概観構成を示す斜視図である。
【図４】第２の実施の形態を示し、ポール支持体の底部を示す図である。
【図５】第２の実施の形態を示し、ポール支持体の底部にポール支持体を磁気吸着した様子を示す底面図である。
【図６】第２の実施の形態を示し、ポール支持体の底部にポール支持体を磁気吸着した様子を示す断面図である。
【図７】第２の実施の形態を示し、磁気吸着力発生装置の要部構成を説明する断面図である。
【図８】第３の実施の形態を示し、磁気吸着力発生装置の要部構成を説明する断面図である。
【図９】従来例を示し、路面用ポール装置の一例を示す斜視図である。
【図１０】従来例を示し、路面用ポール装置の一例を示す断面図である。
【符号の説明】
【００３８】
１  路面用ポール装置
２  ポール本体
３  磁石取付け面
４  嵌合凹部
５  固定用ナット
６  固定ネジ
１０  ポール支持体
１１  磁気吸着力発生装置
２０  ポール本体
２１  反射テープ
３０  磁気吸着力発生装置
３１  ヨーク取付け板
３２  カップ状ヨーク
３３  永久磁石
３４  固定ネジ
３５  取付けネジ
３６  掛止部
４０  紐状体
５０  ポール支持体
５１  貫通孔
５２  接着剤
５３  掛止部
６０  設置路面
１００  ポール支持盤
【図１】
2005207142.tif 000003
【図２】
2005207142.tif 000004
【図３】
2005207142.tif 000005
【図４】
2005207142.tif 000006
【図５】
2005207142.tif 000007
【図６】
2005207142.tif 000008
【図７】
2005207142.tif 000009
【図８】
2005207142.tif 000010
【図９】
2005207142.tif 000011
【図１０】
2005207142.tif 000012